(57)【要約】【課題】起動時におけるトラッキングエラー信号を指標とする調整のばらつきを抑えることができる光ディスク装置を提供する。【解決手段】光ディスク装置は、光ディスク装置の起動時にトラッキングエラー信号を指標とする調整を行うときには、光ディスクの全記録層での調整において、トラッキングエラー信号の自動利得制御をＯＦＦ状態にする（ステップＳ１３０参照）。【選択図】図５
2012256385.tif 000002
【特許請求の範囲】
【請求項１】
片面に複数の記録層を有する片面多層光ディスクに対応可能な光ディスク装置であって、
光ディスクに光を照射すると共に、前記光ディスクからの戻り光を光検出器で検出する光ピックアップと、
前記光検出器から出力される電気信号を処理してトラッキングエラー信号を生成するトラッキングエラー信号生成手段と、
前記トラッキングエラー信号の振幅レベルが所定のレベルになるように、前記トラッキングエラー信号の自動利得制御を行う自動利得制御手段と、
前記光ディスク装置の起動時に前記トラッキングエラー信号を指標とする調整を行う調整手段とを備え、
前記調整手段が前記光ディスク装置の起動時に前記トラッキングエラー信号を指標とする調整を行うときには、前記光ディスクの全記録層での調整において、前記自動利得制御手段による前記トラッキングエラー信号の自動利得制御をＯＦＦ状態にすることを特徴とする光ディスク装置。
【請求項２】
前記調整手段が、前記光ピックアップの光学系中に配置される球面収差補正用可動レンズの位置を調整制御する可動レンズ位置調整手段を有し、前記光ディスク装置の起動時に前記トラッキングエラー信号を指標として、前記可動レンズ位置調整手段を用いて前記球面収差補正用可動レンズの位置を粗調整する請求項１に記載の光ディスク装置。
【請求項３】
ＢＤＸＬ規格に準拠したＢＤに対応可能である請求項１または請求項２に記載の光ディスク装置。
【発明の詳細な説明】
【技術分野】
【０００１】
本発明は、光ディスク装置に関し、特に片面に複数の記録層を有する片面多層光ディスクに対応可能な光ディスク装置に関する。
【背景技術】
【０００２】
近年、片面に複数の記録層を有する片面多層光ディスクが普及している。片面多層光ディスクに対応可能な従来の光ディスク装置では、起動時に以下のような手順で各記録層での調整を実施している。
【０００３】
まず光ディスクを回転させ、フォーカスサーチで光ディスクの記録層数を取得する。次に、装置の製造工程等で予め計測しているＬ０用設定値で球面収差補正を行った後、フォーカスエラー信号の自動利得制御（自動振幅調整）を行って、レーザ光が入射する側から最も遠い記録層Ｌ０にフォーカス制御を引き込む。それから、トラッキングエラー信号を指標にして球面収差補正の粗調整を行い、その後、トラッキングエラー信号の自動利得制御を行って、トラッキング制御を引き込む。さらにその後、ＲＦ信号を指標にして球面収差補正の精調整を行い、フォーカス制御のループゲイン調整と、トラッキング制御のループゲイン調整とを行う。
【０００４】
その後、次にレーザ光が入射する側から遠い記録層Ｌ１にフォーカスジャンプし、装置の製造工程等で予め計測しているＬ１用設定値で球面収差補正を行った後、Ｌ１にフォーカス制御を引き込む。それから、球面収差補正の粗調整を行い、その後、トラッキング制御を引き込む。さらにその後、球面収差補正の精調整を行い、フォーカス制御のループゲイン調整と、トラッキング制御のループゲイン調整とを行う。Ｌ２以降の記録層が存在する場合は順にＬ１の場合と同様の調整を行い、全記録層での調整が終了すると、起動を終了する。この起動の終了により、光ディスクの再生が可能となる。
【先行技術文献】
【特許文献】
【０００５】
【特許文献１】特許第４３７７８４１号公報（段落００４８乃至００５０、図２２、及び請求項２０）
【特許文献２】特開２００６−３１８５９０号公報
【特許文献３】特許第４２５７０４９号公報
【特許文献４】特開２０１０−２７２１６４号公報
【発明の概要】
【発明が解決しようとする課題】
【０００６】
上述した起動時における各記録層での調整では、Ｌ０での球面収差補正の粗調整はトラッキングエラー信号の自動利得制御がＯＦＦ状態で実施され、Ｌ１以降の記録層での球面収差補正の粗調整はトラッキングエラー信号の自動利得制御がＯＮ状態で実施される。
【０００７】
しかしながら、トラッキングエラー信号の自動利得制御がＯＮ状態であると、光ピックアップ内の光検出器から出力される各電気信号（トラッキングエラー信号を生成する元信号となる信号）の総和の変化に応じて、トラッキングエラー信号の振幅を調整するため、球面収差補正の粗調整中に光検出器の受光量が減った場合に、その減少によるトラッキングエラー信号の振幅変化を補正する動作が加わってしまい、実際のトラッキングエラー信号の振幅が分かりにくい状態になる。このため、Ｌ１以降の記録層での球面収差補正の粗調整のばらつきが大きいという問題があった。
【０００８】
尚、特許文献１では、トラッキングエラー信号の自動利得制御を一時的にＯＦＦ状態にする動作が開始されているが、当該動作は記録あるいは再生している状態での層間ジャンプ時における動作であって、起動時における調整とは全く無関係である。
【０００９】
本発明は、上記の状況に鑑み、起動時におけるトラッキングエラー信号を指標とする調整のばらつきを抑えることができる光ディスク装置を提供することを目的とする。
【課題を解決するための手段】
【００１０】
上記目的を達成するために本発明に係る光ディスク装置は、片面に複数の記録層を有する片面多層光ディスクに対応可能な光ディスク装置であって、光ディスクに光を照射すると共に、前記光ディスクからの戻り光を光検出器で検出する光ピックアップと、前記光検出器から出力される電気信号を処理してトラッキングエラー信号を生成するトラッキングエラー信号生成手段と、前記トラッキングエラー信号の振幅レベルが所定のレベルになるように、前記トラッキングエラー信号の自動利得制御を行う自動利得制御手段と、前記光ディスク装置の起動時に前記トラッキングエラー信号を指標とする調整を行う調整手段とを備え、前記調整手段が前記光ディスク装置の起動時に前記トラッキングエラー信号を指標とする調整を行うときには、前記光ディスクの全記録層での調整において、前記自動利得制御手段による前記トラッキングエラー信号の自動利得制御をＯＦＦ状態にする構成とする。
【００１１】
このような構成によると、起動時におけるトラッキングエラー信号を指標とする調整の際に、トラッキングエラー信号の振幅レベルの変動を検出し易くなるので、起動時におけるトラッキングエラー信号を指標とする調整のばらつきを抑えることができる。
【００１２】
また、前記調整手段が、前記光ピックアップの光学系中に配置される球面収差補正用可動レンズの位置を調整制御する可動レンズ位置調整手段を有し、前記光ディスク装置の起動時に前記トラッキングエラー信号を指標として、前記可動レンズ位置調整手段を用いて前記球面収差補正用可動レンズの位置を粗調整するようにしてもよい。
【００１３】
また、ＢＤＸＬ規格に準拠したＢＤに対応可能であることが望ましい。
【発明の効果】
【００１４】
本発明に係る光ディスク装置によると、起動時におけるトラッキングエラー信号を指標とする調整のばらつきを抑えることができる。
【図面の簡単な説明】
【００１５】
【図１】本発明の一実施形態に係る光ディスク装置の概略構成を示す図である。
【図２】本発明の一実施形態に係る光ディスク装置が備える光ピックアップの概略構成を示す図である。
【図３】光検出器の受光領域を示す図である。
【図４】トラッキングエラー信号生成回路の概略構成を示す図である。
【図５】本発明の一実施形態に係る光ディスク装置の起動動作を示すフローチャートである。
【図６】本発明の一実施形態に係る光ディスク装置に対応するＲＦ信号、トラッキングエラー信号の振幅レベルに関する特性線を示す図である。
【図７】従来の光ディスク装置に対応するＲＦ信号、トラッキングエラー信号の振幅レベルに関する特性線を示す図である。
【発明を実施するための形態】
【００１６】
本発明の実施形態について図面を参照して以下に説明する。本発明の一実施形態に係る光ディスク装置の概略構成を図１に示す。
【００１７】
本発明の一実施形態に係る光ディスク装置は、片面多層光ディスクに対応可能な光ディスク装置であって、光ピックアップ１と、ＲＦアンプ３１と、ＤＳＰ（Digital Signal Processor）３２と、再生処理回路３３と、出力回路３４と、ＣＰＵ（Central Processing Unit）４１と、ドライバ４２と、表示部４３と、操作部４４と、送りモータ５１と、スピンドルモータ５２とを備えている。
【００１８】
光ピックアップ１は、光ディスク２に光ビームを照射して、光ディスク２に記録された音声情報、映像情報等の各種情報の読み取りを行う。この光ピックアップ１は、波長７８０ｎｍ帯の赤外レーザビーム（ＣＤ（Compact Disc）用レーザビーム）、波長６５０ｎｍ帯の赤色レーザビーム（ＤＶＤ（Digital Versatile Disc）用レーザビーム）、及び波長４０５ｎｍ帯の青色レーザビーム（ＢＤ（Blu-ray Disc：登録商標）用レーザビーム）を光ディスク２に照射することができる。なお、光ピックアップ１内部の詳細については後述する。
【００１９】
光ピックアップ１により得られた音声情報、及び映像情報は、ＲＦアンプ３１、ＤＳＰ３２、再生処理回路３３、及び出力回路３４により音声及び映像に変換され、それぞれ不図示のスピーカ及びモニタから出力される。ＲＦアンプ３１は、光ピックアップ１からの音声信号や映像信号等を増幅する。ＤＳＰ３２及び再生処理回路３３は、ＲＦアンプ３１からの信号に対して、再生のための各種情報処理（例えば映像処理等）を施す。出力回路３４は、再生処理回路３３からの信号を、不図示のスピーカ及びモニタに出力するためにＤ／Ａ変換処理等を行う。
【００２０】
また、ＤＳＰ３２は、光検出器２０（図２参照）から出力される信号をもとに演算処理を行い、フォーカスエラー信号、フォーカスサーボ信号、トラッキングエラー信号等を生成する。
【００２１】
ＣＰＵ４１は、操作部４４からの情報を受け付けてＤＳＰ３２に伝送すると共に、ＤＳＰ３２からの情報を表示部４３に伝送する。
【００２２】
ドライバ４２は、ＤＳＰ３２からの指示に基づいて、送りモータ５１及びスピンドルモータ５２の動作を制御する。送りモータ５１は、光ピックアップ１を光ディスク２の径方向に移動させる。スピンドルモータ５２は、光ディスク２を回転方向に駆動する。
【００２３】
また、ドライバ４２は、ＤＳＰ３２からの指示に基づいて、ピックアップ装置１内のアクチュエータ２１及びＢＥＸ（Beam Expander）モータ２２（図２参照）の動作も制御する。
【００２４】
次に、本発明の一実施形態に係る光ディスク装置が備える光ピックアップ１の概略構成を図２に示す。
【００２５】
光ピックアップ１は、第一光源１０ａと、第二光源１０ｂと、第一グレーティング１１ａと、第二グレーティング１１ｂと、ダイクロプリズム１２と、コリメートレンズ１７と、ビームスプリッタ１４と、立ち上げミラー１５と、１／４波長板１６と、コリメートレンズ１７と、対物レンズ１８と、検出レンズ１９と、光検出器２０と、アクチュエータ２１と、ＢＥＸモータ２２とを備えている。
【００２６】
第一光源１０ａは、波長７８０ｎｍ帯の赤外レーザビーム（ＣＤ用レーザビーム）と、波長６５０ｎｍ帯の赤色レーザビーム（ＤＶＤ用レーザビーム）とを出射できる２波長一体型ＬＤである。第二光源１０ｂは、４０５ｎｍ帯の青色レーザビーム（ＢＤ用レーザビーム）を出射できるＬＤである。
【００２７】
第一グレーティング１１ａは、第一光源１０ａから出射されるレーザビームを回折し、回折光をダイクロプリズム１２に出力する。第二グレーティング１１ｂは、第二光源１０ｂから出射されるレーザビームを回折し、回折光をダイクロプリズム１２に出力する。
【００２８】
ダイクロプリズム１２は、第一グレーティング１１ａから出力された回折光を透過し、第二グレーティング１１ｂから出力された回折光を反射する。そして、第一グレーティング１１ａ及び第二グレーティング１１ｂから出射される回折光の光軸を一致させる。ダイクロプリズム１２において透過又は反射された回折光（レーザビーム）は、コリメートレンズ１７に送られる。
【００２９】
コレメータレンズ１３は、ダイクロプリズム１２から送られてくるレーザビームを平行光に変換する。コリメートレンズ１７で平行光とされたレーザビームは、ビームスプリッタ１４に送られる。
【００３０】
ビームスプリッタ１４は、入射するレーザビームを分離する光分離素子として機能し、コリメートレンズ１７から送られてきた光ビームを透過して、光ディスク２側へと導くとともに、光ディスク２で反射された反射光を反射して光検出器２０側へと導く。ビームスプリッタ１４を透過したレーザビームは、立ち上げミラー１５に送られる。
【００３１】
立ち上げミラー１５は、ビームスプリッタ１４を透過してきた光ビームを反射して光ディスク２へと導く。立ち上げミラー１５は、ビームスプリッタ１４から送られてくるレーザビームの光軸に対して４５°傾いた状態となっており、立ち上げミラー１５で反射されたレーザビームの光軸は、光ディスク２の記録面と略直交する。
【００３２】
１／４波長板１６は、直線偏光を円偏光に変換し、円偏光を直線偏光に変換する機能を有し、立ち上げミラー１５が反射した直線偏光のレーザビームを円偏光に変換してコリメートレンズ１７に送り、光ディスク２から反射される円偏光のレーザビームを直線偏光に変換して、立ち上げミラー１５に送る。
【００３３】
コリメートレンズ１７は、ＢＥＸモータ２２によって光軸方向（図２の上下方向）に移動可能となっている。コリメートレンズ１７の移動に応じて、コリメートレンズ１７から出射されるレーザビームの状態を発散光としたり、収束光としたりすることができる。そして、このようにコリメートレンズ１７から出射されるレーザビームの状態を変更することで、球面収差の補正を行うことができる。コリメートレンズ１７から出射されるレーザビームは、対物レンズ１８に送られる。
【００３４】
対物レンズ１８は、コリメートレンズ１７から送られてくるレーザビームを光ディスク２の記録面上に集光させる。また、対物レンズ１８は後述するアクチュエータ２１によって、例えば、図２の上下方向及び左右方向に移動可能とされており、フォーカスサーボ信号及びトラッキングサーボ信号に基づいてその位置が制御される。
【００３５】
光ディスク２で反射された反射光は、対物レンズ１８、コリメートレンズ１７、１／４波長板１６の順に通過し、立ち上げミラー１５で反射された後、更にビームスプリッタ１４で反射されて、検出レンズ１９によって光検出器２０上に設けられる受光素子へと集光される。
【００３６】
光検出器２０は、フォトダイオード等の受光素子を用いて受光した光情報を電気信号に変換して、ＤＳＰ３２（図１参照）に出力する。光検出器２０は、図３に示すように、縦横に均等に四分割されたメイン受光領域Ａ〜Ｄと、横に均等に二分割されたサブ受光領域Ｅ及びＦと、横に均等に二分割されたサブ受光領域Ｇ及びＨとを備えており、領域毎に個別に光電変換を行って電気信号を出力する。メイン受光領域Ａ〜Ｄは０次回折光（メインビーム）を受光する領域であり、サブ受光領域Ｅ〜Ｈは１次回折光（サブビーム）を受光する領域である。ＤＳＰ３２は、領域Ａの電気信号ＳＡと領域Ｃの電気信号ＳＣと加算したものから領域Ｂの電気信号ＳＢと領域Ｄの電気信号ＳＤと加算したものを引くことでフォーカスエラー信号を生成することができ、領域Ａ〜Ｄの電気信号ＳＡ〜ＳＤを加算することでフォーカスサム信号を生成することができる。また、ＤＳＰ３２はトラッキングエラー信号生成回路を有しており、当該トラッキングエラー信号生成回路は領域Ａ〜Ｈの電気信号ＳＡ〜ＳＨからトラッキングエラー信号を生成する。なお、トラッキングエラー信号生成回路の詳細については後述する。
【００３７】
アクチュエータ２１は、ドライバ４２（図１参照）で生成され出力された対物レンズ駆動信号に従って、対物レンズ１８を光ディスク２の径方向に移動させる。
【００３８】
アクチュエータ２１は、対物レンズ１８を光ディスク２の記録面に沿う方向に移動させるトラッキング動作の他に、対物レンズ１８から出射されるレーザビームの光軸が揺動するように対物レンズ１８を傾動させるチルト動作や、対物レンズ１８を光ディスク２に対して接近離反するように移動させるフォーカス動作も行うことができる。
【００３９】
次に、ＤＳＰ３２が有するトラッキングエラー信号生成回路の概略構成を図４に示す。図４に示すトラッキングエラー信号生成回路は、可変利得アンプ６１〜６８と、加算器６９〜７２と、メイン差動アンプ７３と、サブ差動アンプ７４と、アッテネータ７５及び７６と、合成差動アンプ７７とを備えている。
【００４０】
加算器６９は、可変利得アンプ６１によって増幅された電気信号ＳＡと、可変利得アンプ６２によって増幅された電気信号ＳＢとを加算し、加算後の信号をメイン差動アンプ７３の非反転入力端子に出力する。加算器７０は、可変利得アンプ６３によって増幅された電気信号ＳＣと、可変利得アンプ６４によって増幅された電気信号ＳＤとを加算し、加算後の信号をメイン差動アンプ７３の反転入力端子に出力する。メイン差動アンプ７３は、加算器６９及び７０の出力信号からメインプッシュプル信号を生成してアッテネータ７５に出力する。アッテネータ７５はメインプッシュプル信号を減衰し、減衰後の信号を合成差動アンプ７７の非反転入力端子に出力する。
【００４１】
加算器７１は、可変利得アンプ６５によって増幅された電気信号ＳＥと、可変利得アンプ６６によって増幅された電気信号ＳＦとを加算し、加算後の信号をサブ差動アンプ７４の非反転入力端子に出力する。加算器７２は、可変利得アンプ６７によって増幅された電気信号ＳＧと、可変利得アンプ６８によって増幅された電気信号ＳＨとを加算し、加算後の信号をサブ差動アンプ７４の反転入力端子に出力する。サブ差動アンプ７４は、加算器７１及び７２の出力信号からサブプッシュプル信号を生成してアッテネータ７６に出力する。アッテネータ７６はサブプッシュプル信号を減衰し、減衰後の信号を合成差動アンプ７７の反転入力端子に出力する。
【００４２】
合成差動アンプ７７は、アッテネータ７５によって減衰されたメインプッシュプル信号と、アッテネータ７６によって減衰されたサブプッシュプル信号からトラッキングエラー信号ＴＥを生成する。
【００４３】
以上のように構成された本発明の一実施形態に係る光ディスク装置は、光ディスク２が装置内に挿入された場合に図５に示す起動動作を行う。
【００４４】
図５に示す起動動作が開始されると、まずスピンドルモータ５２が光ディスク２を回転させ（ステップＳ１０）、その後、ＤＳＰ３２がフォーカスサーチで光ディスクの記録層数を取得する（ステップＳ２０）。
【００４５】
次に、装置の製造工程等で予め計測しているＬ０用設定値でＢＥＸモータ２２がコリメートレンズ１７を移動させて球面収差補正を行い（ステップＳ３０）、その後、ＤＳＰ３２は、フォーカスエラー信号の自動利得制御をＯＮ状態にし（ステップＳ４０）、レーザ光が入射する側から最も遠い記録層Ｌ０にフォーカス制御を引き込んでフォーカス制御をＯＮ状態にする（ステップＳ５０）。
【００４６】
それから、ＤＳＰ３２は、トラッキングエラー信号を指標にして球面収差補正の粗調整を行い（ステップＳ６０）、その後、トラッキングエラー信号の自動利得制御をＯＮ状態にし（ステップＳ７０）、トラッキング制御を引き込んでトラッキング制御をＯＮ状態にする（ステップＳ８０）。なお、トラッキングエラー信号の自動利得制御がＯＮ状態である場合、ＤＳＰ３２は、トラッキングエラー信号の振幅レベルが所定のレベルになるように、光検出器２０から出力される電気信号ＳＡ〜ＳＨの総和の変化に応じて、アッテネータ７５及び７６の減衰量を調整する。
【００４７】
さらにその後、ＤＳＰ３２は、ＲＦアンプ３１から出力されるＲＦ信号を指標にして球面収差補正の精調整を行い（ステップＳ９０）、フォーカス制御のループゲイン調整と、トラッキング制御のループゲイン調整とを行う（ステップＳ１００及びＳ１１０）。
【００４８】
その後、ＤＳＰ３２は、次の記録層が有るか否か、すなわち上述した各種調整を行っていない記録層が有るか否かを判定する（ステップＳ１２０）。
【００４９】
次の記録層（直前に各種調整を行った記録層の次にレーザ光が入射する側から遠い記録層）が有れば（ステップＳ１２０のＹＥＳ）、ＤＳＰ３２がトラッキングエラー信号の自動利得制御をＯＦＦ状態にし、装置の製造工程等で予め計測している次の記録層用設定値でＢＥＸモータ２２がコリメートレンズ１７を移動させて球面収差補正を行ってから、ＤＳＰ３２が次の記録層にフォーカスジャンプするようにドライバ４２を介して光ピックアップ１を制御し（ステップＳ１３０）、その後、ステップＳ６０に移行する。
【００５０】
一方、次の記録層がなければ（ステップＳ１２０のＮＯ）、全記録層での調整が終了しているため、起動を終了する。なお、装置の製造工程等で予め計測している各記録層用設定値は、例えば、ＤＳＰ３２が内蔵している不揮発性メモリに予め記憶しておくとよい。
【００５１】
以上のような起動動作により、Ｌ０での球面収差補正の粗調整を始め全記録層での球面収差補正の粗調整が、トラッキングエラー信号の自動利得制御がＯＦＦ状態で実施される。
【００５２】
したがって、起動時における球面収差補正の粗調整の際に、トラッキングエラー信号の自動利得制御によってトラッキングエラー信号の振幅変化を補正する動作が加わってしまい、実際のトラッキングエラー信号の振幅が分かりにくい状態になるおそれがなくなる。これにより、起動時におけるＬ１以降の記録層での球面収差補正の粗調整のばらつきを抑えることができる。
【００５３】
ここで、２０１０年６月に策定されたＢＤＸＬ規格に準拠したＢＤ−Ｒ＿ＴＬ（３層追記型ＢＤ）を用い、全記録層Ｌ０〜Ｌ２においてトラッキングエラー信号の自動利得制御をＯＦＦ状態にして、コリメートレンズ１７の基準位置からの移動量とＲＦ信号及びトラッキングエラー信号の振幅レベルとの関係を測定した結果を図６に示す。
【００５４】
また、上記と同一のＢＤ−Ｒ＿ＴＬ（３層追記型ＢＤ）を用い、記録層Ｌ０においてはトラッキングエラー信号の自動利得制御をＯＦＦ状態にし、記録層Ｌ１及びＬ２においてはトラッキングエラー信号の自動利得制御をＯＮ状態にし、コリメートレンズ１７の基準位置からの移動量とＲＦ信号及びトラッキングエラー信号の振幅レベルとの関係を測定した結果を図７に示す。
【００５５】
図６及び図７において、黒丸のプロットによる特性線は記録層Ｌ０でのコリメートレンズ１７の基準位置からの移動量とトラッキングエラー信号の振幅レベルとの関係を示すものであり、白丸のプロットによる特性線は記録層Ｌ０でのコリメートレンズ１７の基準位置からの移動量とＲＦ信号の振幅レベルとの関係を示すものである。また、図６及び図７において、黒三角のプロットによる特性線は記録層Ｌ１でのコリメートレンズ１７の基準位置からの移動量とトラッキングエラー信号の振幅レベルとの関係を示すものであり、白三角のプロットによる特性線は記録層Ｌ１でのコリメートレンズ１７の基準位置からの移動量とＲＦ信号の振幅レベルとの関係を示すものである。また、図６及び図７において、黒四角のプロットによる特性線は記録層Ｌ２でのコリメートレンズ１７の基準位置からの移動量とトラッキングエラー信号の振幅レベルとの関係を示すものであり、白四角のプロットによる特性線は記録層Ｌ２でのコリメートレンズ１７の基準位置からの移動量とＲＦ信号の振幅レベルとの関係を示すものである。なお、各特性線においてＲＦ信号又はトラッキングエラー信号の振幅レベルの最大値を０［ｄＢ］にしている。
【００５６】
図６の測定結果は、本発明の一実施形態に係る光ディスク装置での起動時における球面収差補正の粗調整及び精調整に対応するものであり、いずれの特性線もＲＦ信号又はトラッキングエラー信号の振幅レベルのピークが明確である。このため、本発明の一実施形態に係る光ディスク装置では、起動時におけるトラッキングエラー信号を指標とする調整も起動時における他の調整と同様にばらつきが小さくなる。
【００５７】
図７の測定結果は、従来の光ディスク装置での起動時における球面収差補正の粗調整及び精調整に対応するものであり、黒三角のプロットによる特性線（記録層Ｌ１でのコリメートレンズ１７の基準位置からの移動量とトラッキングエラー信号の振幅レベルとの関係を示す特性線）及び黒四角のプロットによる特性線（記録層Ｌ２でのコリメートレンズ１７の基準位置からの移動量とトラッキングエラー信号の振幅レベルとの関係を示す特性線）ではトラッキングエラー信号の振幅レベルのピークが明確でない。このため、従来の光ディスク装置では、起動時におけるトラッキングエラー信号を指標とする調整のばらつきが大きくなってしまう。
【００５８】
なお、本実施形態では、起動時におけるトラッキングエラー信号を指標とする調整の代表例として、起動時における球面収差補正の粗調整を取りあげたが、本発明はこれに限定されることはない。すなわち、起動時における球面収差補正の粗調整以外の起動時におけるトラッキングエラー信号を指標とする調整を実施し、本発明を適用するようにしてもよい。
【００５９】
また、本実施形態では、ＢＤ−Ｒ＿ＴＬについて測定を行ったが、本発明に係る光ディスク装置は、ＢＤＸＬ規格に準拠した追記型ＢＤ以外の片面多層光ディスク（例えば、２層ＤＶＤ、２層ＢＤ、ＢＤＸＬ規格に準拠した書き換え型ＢＤ等）に対応可能としてもよい。
【符号の説明】
【００６０】
１  光ピックアップ
２  光ディスク
１０ａ  第一光源
１０ｂ  第二光源
１１ａ  第一グレーティング
１１ｂ  第二グレーティング
１２  ダイクロプリズム
１３  コリメートレンズ
１４  ビームスプリッタ
１５  立ち上げミラー
１６  １／４波長板
１７  コリメートレンズ
１８  対物レンズ
１９  検出レンズ
２０  光検出器
２１  アクチュエータ
２２  ＢＥＸモータ
３１  ＲＦアンプ
３２  ＤＳＰ
３３  再生処理回路
３４  出力回路
４１  ＣＰＵ
４２  ドライバ
４３  表示部
４４  操作部
５１  送りモータ
５２  スピンドルモータ
６１〜６８  可変利得アンプ
６９〜７２  加算器
７３  メイン差動アンプ
７４  サブ差動アンプ
７５、７６  アッテネータ
７７  合成差動アンプ
【図１】
2012256385.tif 000003
【図２】
2012256385.tif 000004
【図３】
2012256385.tif 000005
【図４】
2012256385.tif 000006
【図５】
2012256385.tif 000007
【図６】
2012256385.tif 000008
【図７】
2012256385.tif 000009